(57)【要約】【課題】  もらい火等により装置が着火した場合に、迅速且つ確実な消火を行うことができる暖房乾燥装置を提供する。【解決手段】  暖房乾燥装置本体４の温度を検知するための温度検知手段１２と、その検知温度に基づいて暖房乾燥装置本体４に温水を噴射するための温水噴射手段１６と、を備え、温水噴射手段１６は、温水循環流路１０から分岐される分岐流路６６と、分岐流路６６を通して流れる温水を噴射するための噴射ノズル６８と、分岐流路６６に配設された開閉弁７０と、を有する。温度検知手段１２による検知温度が所定温度を超えないときには、開閉弁７０は閉状態に保持され、熱源機８からの温水が温水循環流路１０及び熱交換器６を通して循環され、温度検知手段１２による検知温度が所定温度を超えると、開閉弁７０は開状態に保持され、温水が噴射ノズル６８から暖房乾燥装置本体４に噴射される。【選択図】  図１
2008232479.tif 000002
【特許請求の範囲】
【請求項１】
浴室に設置される暖房乾燥装置本体と、前記暖房乾燥装置本体の内部に設けられた熱交換器と、温水を供給するための熱源機と、前記熱源機からの温水を前記熱交換器を通して循環するための温水循環流路と、前記暖房乾燥装置本体の温度を検知するための温度検知手段と、前記温度検知手段の検知温度に基づいて前記暖房乾燥装置本体に温水を噴射するための温水噴射手段と、を備え、
前記温水噴射手段は、前記温水循環流路から分岐される分岐流路と、前記分岐流路を通して流れる温水を噴射するための噴射ノズルと、前記分岐流路に配設された開閉弁と、を有しており、
前記温度検知手段による検知温度が所定温度を超えないときには、前記開閉弁は閉状態に保持され、前記熱源機からの温水が前記温水循環流路及び前記熱交換器を通して循環され、前記温度検知手段による検知温度が前記所定温度を超えると、前記開閉弁は開状態に保持され、前記熱源機からの温水が前記温水循環流路及び前記分岐流路を通して流れて前記噴射ノズルから前記暖房乾燥装置本体に噴射されることを特徴とする暖房乾燥装置。
【請求項２】
前記温水循環流路を通して循環される温水の漏れの有無を検知するための漏水検知手段が設けられ、前記温度検知手段による検知温度が前記所定温度を超えないときには、前記漏水検知手段は温水の漏れの有無を検知する検知状態に保持され、前記温度検知手段による検知温度が前記所定温度を超えると、前記漏水検知手段の検知状態が解除されることを特徴とする請求項１に記載の暖房乾燥装置。
【請求項３】
前記温水循環流路には循環ポンプが配設され、前記漏水検知手段が温水の漏れを検知すると前記循環ポンプの作動が停止され、前記温度検知手段による検知温度が前記所定温度を超えると、前記循環ポンプは作動状態に保持されることを特徴とする請求項２に記載の暖房乾燥装置。
【請求項４】
前記熱源機は、温水を貯めるための温水タンクと、前記温水タンクに給水するための給水手段と、前記温水タンクに貯められた温水の水位を検知するための水位検知手段と、を有し、
前記温度検知手段による検知温度が前記所定温度を超えないときには、前記温水タンクに貯められた温水が前記温水循環流路及び前記熱交換器を通して循環され、また前記温度検知手段による検知温度が前記所定温度を超えると、前記温水タンクに貯められた温水が前記温水循環流路及び前記分岐流路を通して流れて前記噴射ノズルから噴射され、前記水位検知手段による検知水位が所定水位よりも低くなると、前記給水手段は前記温水タンクに給水することを特徴とする請求項１〜３のいずれかに記載の暖房乾燥装置。
【発明の詳細な説明】
【技術分野】
【０００１】
本発明は、浴室内を暖房、乾燥などするための暖房乾燥装置に関する。
【背景技術】
【０００２】
近年、冬場の入浴時において、暖房された居室と冷えた浴室との温度差によるヒートショックを防止するために、浴室内を暖房、乾燥などするための暖房乾燥装置が広く実用に供されている（例えば、特許文献１参照）。この暖房乾燥装置は、例えば浴室の天井に取り付けられる暖房乾燥装置本体を備え、この暖房乾燥装置本体には、浴室内の空気を循環するための空気循環流路と、空気循環流路に配設された循環ファン及び加熱手段と、浴室内の空気を外部に排出するための換気流路と、換気流路に配設された換気ファンと、加熱手段、循環ファン及び換気ファンをそれぞれ作動制御するための制御手段とが設けられている。
【０００３】
また、暖房乾燥装置本体には端子台が設けられ、制御手段及び加熱手段は、電力供給ラインを介して端子台に電気的に接続されている。またこの端子台は、商用電源からの商用電力を伝送するための電源ラインが電気的に接続されている。電力供給ラインには開閉スイッチが配設され、この開閉スイッチは、加熱手段に商用電力が供給される閉状態と、加熱手段への商用電力の供給が遮断される開状態とに自在に切り換えられる。
【０００４】
浴室内を暖房する際には、制御手段は加熱手段及び循環ファンをそれぞれ作動制御し、循環ファンにより浴室内の空気が空気循環流路を通して循環されるとともに、加熱手段によりこの循環される空気が加熱される。また、浴室内を乾燥する際には、制御手段は加熱手段、循環ファン及び換気ファンをそれぞれ作動制御し、循環ファンにより浴室内の空気が空気循環流路を通して循環され、このように循環される空気が加熱手段によって加熱されるとともに、換気ファンによって浴室内の空気が換気流路を通して外部に排出される。
【０００５】
【特許文献１】特開２００５−１０６３９２号公報
【発明の開示】
【発明が解決しようとする課題】
【０００６】
上述のような従来の暖房乾燥装置では、端子台において電源ラインと電力供給ラインとの電気的接続不良が発生すると、これら電源ライン及び電力供給ライン間の接触抵抗が増大することにより端子台が発熱する。端子台の温度が所定温度（例えば、約１００℃）を超えると、端子台に設けられた温度ヒューズが溶断し、これにより開閉スイッチが閉状態から開状態に切り換えられ、加熱手段への商用電力の供給が遮断されるとともに、使用者に対して異常の発生が警報される。
【０００７】
しかしながら、端子台の異常発熱やもらい火などによって暖房乾燥装置本体の内部において着火した場合には、異常の発生の警報を受けた使用者が消火しなければならず、迅速且つ確実な消火を行うことができないという問題がある。
【０００８】
本発明の目的は、もらい火等により装置が着火した場合に、迅速且つ確実な消火を行うことができる暖房乾燥装置を提供することである。
【課題を解決するための手段】
【０００９】
本発明の請求項１に記載の暖房乾燥装置では、浴室に設置される暖房乾燥装置本体と、前記暖房乾燥装置本体の内部に設けられた熱交換器と、温水を供給するための熱源機と、前記熱源機からの温水を前記熱交換器を通して循環するための温水循環流路と、前記暖房乾燥装置本体の温度を検知するための温度検知手段と、前記温度検知手段の検知温度に基づいて前記暖房乾燥装置本体に温水を噴射するための温水噴射手段と、を備え、
前記温水噴射手段は、前記温水循環流路から分岐される分岐流路と、前記分岐流路を通して流れる温水を噴射するための噴射ノズルと、前記分岐流路に配設された開閉弁と、を有しており、
前記温度検知手段による検知温度が所定温度を超えないときには、前記開閉弁は閉状態に保持され、前記熱源機からの温水が前記温水循環流路及び前記熱交換器を通して循環され、前記温度検知手段による検知温度が前記所定温度を超えると、前記開閉弁は開状態に保持され、前記熱源機からの温水が前記温水循環流路及び前記分岐流路を通して流れて前記噴射ノズルから前記暖房乾燥装置本体に噴射されることを特徴とする。
【００１０】
また、本発明の請求項２に記載の暖房乾燥装置では、前記温水循環流路を通して循環される温水の漏れの有無を検知するための漏水検知手段が設けられ、前記温度検知手段による検知温度が前記所定温度を超えないときには、前記漏水検知手段は温水の漏れの有無を検知する検知状態に保持され、前記温度検知手段による検知温度が前記所定温度を超えると、前記漏水検知手段の検知状態が解除されることを特徴とする。
【００１１】
さらに、本発明の請求項３に記載の暖房乾燥装置では、前記温水循環流路には循環ポンプが配設され、前記漏水検知手段が温水の漏れを検知すると前記循環ポンプの作動が停止され、前記温度検知手段による検知温度が前記所定温度を超えると、前記循環ポンプは作動状態に保持されることを特徴とする。
【００１２】
また、本発明の請求項４に記載の暖房乾燥装置では、前記熱源機は、温水を貯めるための温水タンクと、前記温水タンクに給水するための給水手段と、前記温水タンクに貯められた温水の水位を検知するための水位検知手段と、を有し、
前記温度検知手段による検知温度が前記所定温度を超えないときには、前記温水タンクに貯められた温水が前記温水循環流路及び前記熱交換器を通して循環され、また前記温度検知手段による検知温度が前記所定温度を超えると、前記温水タンクに貯められた温水が前記温水循環流路及び前記分岐流路を通して流れて前記噴射ノズルから噴射され、前記水位検知手段による検知水位が所定水位よりも低くなると、前記給水手段は前記温水タンクに給水することを特徴とする。
【発明の効果】
【００１３】
本発明の請求項１に記載の暖房乾燥装置によれば、温度検知手段により検知された暖房乾燥装置本体の温度が所定温度を超えると、開閉弁は開状態に保持され、温水が噴射ノズルから暖房乾燥装置本体に噴射されるので、例えばもらい火などにより暖房乾燥装置本体において着火した場合には、噴射ノズルから噴射される温水によって消火することができ、迅速且つ確実な消火を行うことができる。また、熱源機からの温水を用いて消火するので、噴射ノズルから温水を噴射するための専用の配管や温水源等を設置する必要がなく、それ故に、比較的簡単な構成でもって暖房乾燥装置本体を消火するための機能を設けることができる。
【００１４】
また、本発明の請求項２に記載の暖房乾燥装置によれば、温度検知手段による検知温度が所定温度を超えると、漏水検知手段の検知状態が解除されるので、熱源機からの温水が分岐流路を流れて噴射ノズルから噴射され、このとき漏水検知手段によって温水の漏れが検知されることがなく、これによって熱源機からの温水が噴射ノズルから連続して噴射されるようになり、より確実な消火を行うことができる。
【００１５】
さらに、本発明の請求項３に記載の暖房乾燥装置によれば、温度検知手段による検知温度が所定温度を超えると、循環ポンプは作動状態に保持されるので、熱源機からの温水を噴射ノズルから確実に噴射することができる。
【００１６】
また、本発明の請求項４に記載の暖房乾燥装置によれば、温水タンクに貯められた温水が温水循環流路及び分岐流路を通して流れて噴射ノズルから噴射されている際に、水位検知手段による検知水位が所定水位よりも低くなると、給水手段は温水タンクに給水するので、温水タンクに貯められる温水を少なくとも一定量以上確保することができ、温水を噴射ノズルから連続して噴射することができる。
【発明を実施するための最良の形態】
【００１７】
以下、添付図面を参照して、本発明に従う暖房乾燥装置の一実施形態について説明する。図１は、本発明の一実施形態による暖房乾燥装置を簡略的に示すブロック図であり、図２は、図１の暖房乾燥装置の制御系を示すブロック図であり、図３は、図１の暖房乾燥装置による運転制御の流れを示すフローチャートであり、図４は、図３のフローチャートにおける漏水の検知の内容を具体的に示すフローチャートであり、図５は、図３のフローチャートにおける装置ハウジング内の消火の内容を具体的に示すフローチャートである。
【００１８】
図１及び図２において、図示の暖房乾燥装置２は、浴室（図示せず）に設置される暖房乾燥装置本体４と、暖房乾燥装置本体４の内部に設けられた温風生成用熱交換器６と、温水を供給するための熱源機８と、熱源機８からの温水を温風生成用熱交換器６を通して循環するための温水循環流路１０と、暖房乾燥装置本体４の温度を検知するための第１及び第２温度検知センサ１２，１４と、第１及び第２温度検知センサ１２，１４の検知温度に基づいて暖房乾燥装置本体４に温水を噴射するための温水噴射手段１６と、を備えている。以下、これら各構成要素について詳細に説明する。
【００１９】
暖房乾燥装置本体４は装置ハウジング１８を備え、この装置ハウジング１８は浴室の天井に取り付けられている。装置ハウジング１８内には空気循環流路（図示せず）が設けられ、この空気循環流路には循環ファン２０が設けられている。また、この空気循環流路には、空気循環流路を通して流れる空気を加熱するための温風生成用熱交換器６が設けられている。装置ハウジング１８内には更に、浴室内の空気を外部に排出するための換気流路（図示せず）が設けられ、この換気流路には換気ファン２２が設けられている。また、装置ハウジング内１８には、浴室内の温度を検知するための第１温度検知センサ１２が設けられ、また温風生成用熱交換器６の流入側には、温風生成用熱交換器６に流入される温水の温度を検知するための第２温度検知センサ１４が設けられている。本実施形態では、第１及び第２温度検知センサ１２，１４が暖房乾燥装置本体４の温度を検知するための温度検知手段として機能する。
【００２０】
熱源機８は、温水生成部２４と、温水を貯めるための温水タンク２６と、温水タンク２６に給水するための給水手段２８と、温水タンク２６に貯められた温水の水位を検知するための上限水位検知センサ３０及び下限水位検知センサ３２(水位検知手段を構成する）と、を有している。
【００２１】
温水生成部２４は、温水生成用熱交換器３４と、温水生成用熱交換器３４を通して流れる温水を加熱するための燃焼バーナ３６と、を有している。温水タンク２６の上面は開放され、この開放された上面には排水流路（図示せず）の一端部が設けられ、この排水流路の他端部は温水タンク２６の外部に延びている。温水タンク２６内の温水の水位が上限水位を超えて上昇すると、温水タンク内の温水がこの排水流路を通して外部に排出される。温水タンクの内部の上限水位（図１中に一点鎖線で示す水位）に対応する部位には上限水位検知センサ３０が設けられ、またその下限水位（図１中に二点鎖線で示す水位）に対応する部位には下限水位検知センサ３２が設けられている。給水手段２８は、例えば水道管の如き給水源（図示せず）と、給水源及び温水タンク２６を相互に連通する給水流路３８と、給水流路３８に配設された給水用開閉弁４０と、を有している。給水用開閉弁４０は、給水源からの例えば水道水が給水流路３８を通して温水タンク２６に供給される開状態と、この水の温水タンク２６への供給が遮断される閉状態とに自在に切り換えられる。
【００２２】
温水循環流路１０は、温水タンク２６の供給側接続部４２と温水生成用熱交換器３４の流入側接続部４４とを相互に連通する第１温水供給流路４６と、温水生成用熱交換器３４の流出側端部４８と温風生成用熱交換器６の流入側端部５０とを相互に連通する第２温水供給流路５２と、温風生成用熱交換器６の流出側端部５４と温水タンク２６の戻り側端部５６とを相互に連通する温水戻り流路５８とから構成されている。第１温水供給流路４６には循環ポンプ６０が配設され、また第２温水供給流路５２には第１開閉弁６２が配設されている。第１開閉弁６２は、第２温水供給流路５２からの温水が温風生成用熱交換器６に流入される開状態と、この温水の温風生成用熱交換器６への流入が遮断される閉状態とに自在に切り換えられる。また、温水戻り流路５８を通して流れる温水の一部を第２温水供給流路５２へバイパスするためのバイパス流路６４が設けられている。
【００２３】
温水噴射手段１６は、第２温水循環流路５２の第１開閉弁６２の上流側から分岐される分岐流路６６と、分岐流路６６を通して流れる温水を噴射するための噴射ノズル６８と、分岐流路６６に配設された第２開閉弁７０と、を有している。第２開閉弁７０は、分岐流路６６からの温水を噴射ノズル６８から噴射する開状態と、この温水の噴射ノズル６８からの噴射を遮断する閉状態とに自在に切り換えられる。後述するようにして温水が温水循環流路１０を通して循環されている状態において、第１開閉弁６２が閉状態に保持されるとともに第２開閉弁７０が開状態に保持されると、第２温水供給流路５２を通して流れる温水が分岐流路６６へ流入され、この流入された温水が分岐流路６６を通して流れて噴射ノズル６８から装置ハウジング１８の内部のほぼ全域に向けて霧状に噴射される。
【００２４】
また、暖房乾燥装置２は、図２に示す制御手段７２によって作動制御される。この制御手段７２は例えばマイクロプロセッサから構成され、タイマ７４、漏水検知手段７６、作動制御手段７８、燃焼制御手段８０、開閉制御手段８２、温度比較手段８４及びメモリ８６を備えている。
【００２５】
タイマ７４は、上限水位検知センサ３０により温水タンク２６内の温水の水位が検知されてから、下限水位検知センサ３２により温水タンク２６内の温水の水位が検知されるまでの水位低下時間を計時する。漏水検知手段７６は、タイマ７４により計時された水位低下時間に基づいて、温水循環流路１０を通して循環される温水の漏れの有無を検知する。本実施形態では、漏水検知手段７６は、タイマ７４により計時された水位低下時間が設定時間（例えば、約１５分）より短いときには、温水の漏れが発生したと検知する。
【００２６】
作動制御手段７８は、循環ファン２０及び循環ポンプ６０をそれぞれ作動制御し、また燃焼制御手段８０は、熱源機８の燃焼バーナ３６を燃焼制御する。開閉制御手段８２は、第１及び第２温度検知センサ１２，１４による検知温度に基づいて第１開閉弁６２及び第２開閉弁７０をそれぞれ開閉制御し、また上限水位検知センサ３０及び下限水位検知センサ３２からの検知信号に基づいて給水用開閉弁４０を開閉制御する。
【００２７】
温度比較手段８４は、第１又は第２温度検知センサ１２，１４による検知温度に基づいて、装置ハウジング１８内における着火の有無を検知する。本実施形態では、温度比較手段８４は、第１又は第２温度検知センサ１２，１４による検知温度が上設定温度（例えば、約１００℃）を超えると、装置ハウジング１８内において着火の発生を検知し、また、このように着火の発生を検知した場合において、第１又は第２温度検知センサ１２，１４による検知温度が下設定温度（例えば、約５０℃）より低下すると、装置ハウジング１８内において消火を検知する。メモリ８６には、上記設定時間（例えば、約１５分）、上記上設定温度（例えば、約１００℃）及び上記下設定温度（例えば、約５０℃）がそれぞれ記憶されている。
【００２８】
また、この暖房乾燥装置２は、リモコン８８を操作することによって運転制御される。リモコン８８はリモコン本体（図示せず）を備え、このリモコン本体の正面の操作パネルには、運転スイッチ９０、停止スイッチ９２、運転モード選択スイッチ９４及び漏水検知ランプ９６がそれぞれ設けられている。運転スイッチ９０を押圧操作すると暖房乾燥装置２の運転が開始され、停止スイッチ９２を押圧操作すると暖房乾燥装置２の運転が停止される。運転モード選択スイッチ９４を押圧操作すると、暖房乾燥装置２の運転モードが選択され、例えば、この運転モード選択スイッチ９４を押圧操作する毎に、暖房運転モード、乾燥運転モード及び換気運転モードが順次繰り返し選択される。漏水検知ランプ９６は、漏水検知手段７６により温水の漏れの発生が検知されないときには消灯されており、漏水検知手段７６により温水の漏れの発生が検知されると点灯される。また、上述した制御手段７２には通信手段９８が接続され、リモコン８８には通信手段１００が内蔵されており、これら通信手段９８，１００を介して制御手段７２とリモコン８８との間で各種信号の伝送が行われる。
【００２９】
次に、図３〜図５をも参照して、上述した暖房乾燥装置２による運転制御の流れについて説明すると、次の通りである。本実施形態では、暖房運転が行われる場合について説明する。リモコン８８の運転スイッチ９０を押圧操作し、運転モード選択スイッチ９４を押圧操作して暖房運転モードを選択すると、暖房乾燥装置２による暖房運転が開始される（ステップＳ１）。このように暖房運転が開始されると、燃焼制御手段８０は燃焼バーナ３６の燃焼を開始し（ステップＳ２）、作動制御手段７８は循環ポンプ６０及び循環ファン２０をそれぞれ作動させる（ステップＳ３）。開閉制御手段８２は第１開閉弁６２を開状態に保持するとともに第２開閉弁７０を閉状態に保持し（ステップＳ４）、また漏水検知手段７６は温水の漏れの有無を検知する検知状態に保持される（ステップＳ５）。また、温水タンク２６内の温水の水位は、例えば上限水位と下限水位との間に設定されている。かかる状態において、温水タンク２６に貯められた温水が次のようにして温水循環流路１０及び温風生成用熱交換器６を通して循環される。
【００３０】
温水タンク２６に貯められた温水（又は冷水）は、循環ポンプ６０の作用によって第１温水供給流路４６及び温水生成用熱交換器３４を通して流れ、この温水生成用熱交換器３４を流れる際に燃焼バーナ３６からの熱との間で熱交換が行われる。この熱交換によって加熱された温水は、第２温水供給流路５２を通して流れて温風生成用熱交換器６へ流入され、温風生成用熱交換器６を通して流れた後に温水戻り流路５８を通して温水タンク２６に戻される。また、このように温水戻り流路５８を通して流れる温水の一部は、バイパス流路６４を通して第２温水供給流路５２に流れ、上述したのと同様に温風生成用熱交換器６に供給される。
【００３１】
上述のように温水が温水循環流路１０及び温風生成用熱交換器６を通して循環されている状態において、循環ファン２０の作用によって浴室内の空気が空気循環流路を通して循環され、空気循環流路を流れる空気が温風生成用熱交換器６において温水との間で熱交換され、この熱交換によって加熱された空気が浴室内に供給されて浴室内が暖房される。
【００３２】
暖房運転を停止する際には、ステップＳ５からステップＳ６及びステップＳ７を経てステップＳ８に進み、リモコン８８の停止スイッチ９２を押圧操作する。これにより燃焼制御手段８０は燃焼バーナ３６の燃焼を停止し（ステップＳ９）、作動制御手段７８は循環ポンプ６０及び循環ファン２０をそれぞれ作動停止させ（ステップＳ１０）、暖房運転が停止される（ステップＳ１１）。
【００３３】
ステップＳ５に戻り、上述のように暖房運転が行われている状態において、例えば温水循環流路１０の一部が破損するなどして、温水循環流路１０を通して循環される温水の漏れが発生すると、ステップＳ６からステップＳ１２に進み、漏水の検知が行われる。図４を参照して、温水タンク２６内の温水の水位が下限水位まで低下すると、下限水位検知センサ３２は温水の水位を検知し、ステップＳ１２−１からステップＳ１２−２に進む。開閉制御手段８２は、下限水位検知センサ３２からの検知信号に基づいて給水用開閉弁４０を閉状態から開状態に切り換え、これにより給水源からの水が給水流路３８を通して温水タンク２６へ給水される。温水タンク２６内の温水の水位が上限水位まで上昇すると、上限水位検知センサ３０は温水の水位を検知し、ステップＳ１２−３からステップＳ１２−４に進む。開閉制御手段８２は、上限水位検知センサ３０からの検知信号に基づいて給水用開閉弁４０を開状態から閉状態に切り換え、これにより給水源から温水タンク２６への給水が停止される。なお、温水タンク２６内の温水が膨張することにより温水の水位が上限水位を超えて上昇すると、温水タンク２６内の温水が排水流路を通して外部に排出される。
【００３４】
タイマ７４は、上限水位検知センサ３０が温水の水位を検知すると、水位低下時間の計時を開始する（ステップＳ１２−５）。温水が漏れ続けることにより、温水タンク２６内の温水の水位が上限水位より再び下限水位まで低下すると、下限水位検知センサ３２が温水の水位を検知し、ステップＳ１２−６からステップＳ１２−７に進む。給水用開閉弁４０が閉状態から開状態に切り換えられるとともにタイマ７４による水位低下時間の計時が停止され（ステップＳ１２−８）、上述したのと同様にして温水タンク２６への給水が行われる。
【００３５】
タイマ７４により計時された水位低下時間が上記設定時間（例えば、約１５分）よりも短い場合には、ステップＳ１２−９からステップＳ１２−１０に進み、漏水検知手段７６は温水の漏れの発生を検知する。作動制御手段７８は、漏水検知手段７６からの検知信号に基づいて循環ポンプ６０の作動を停止し（ステップＳ１３）、またリモコン８８に設けられた漏水検知ランプ９６が点灯される（ステップＳ１４）。これにより使用者は温水の漏れが発生したことを知ることができ、リモコン８８の停止スイッチ９２を押圧操作することにより、ステップＳ１５からステップＳ１６に進み、燃焼バーナ３６の燃焼が停止されるとともに循環ファン２０の作動が停止され（ステップＳ１７）、暖房運転が停止される（ステップＳ１１）。なお、タイマ７４により計時された水位低下時間が上記設定時間よりも長い場合には、ステップＳ１２−９からステップＳ１２−３に戻り、上述したのと同様にステップＳ１２−３〜ステップＳ１２−９が行われ、温水タンク２６への給水が繰り返し行われる。
【００３６】
ステップＳ６に戻り、温水の漏れが発生しない場合には、ステップＳ６からステップＳ７に進む。かかる場合において、例えばもらい火などにより装置ハウジング１８内において着火すると、ステップＳ７からステップＳ１８に進み、次のようにして装置ハウジング１８内の消火が行われる。図５を参照して、装置ハウジング１８内において着火すると、浴室内の温度が上昇する（又は温風生成用熱交換器６に流入される温水の温度が上昇する）。温度比較手段８４は、第１温度検知センサ１２（又は第２温度検知センサ１４）による検知温度とメモリ８６に記憶された上記上設定温度とを比較し、第１温度検知センサ１２（又は第２温度検知センサ１４）による検知温度が上記上設定温度を超えると、ステップＳ１８−１からステップＳ１８−３に進み（又はステップＳ１８−１からステップＳ１８−２を経てステップＳ１８−３に進み）、装置ハウジング１８内において着火したと判定し、着火信号を生成する。この着火信号に基づいて、燃焼制御手段８０は燃焼バーナ３６の燃焼を停止し（ステップＳ１８−４）、作動制御手段７８は循環ファン２０の作動を停止するとともに循環ポンプ６０を作動状態に保持し（ステップＳ１８−５，Ｓ１８−６）、また開閉制御手段８０は第１開閉弁６２を閉状態に保持するとともに第２開閉弁７０を開状態に保持する（ステップＳ１８−７）。また、漏水検知手段７６による温水の漏れの検知状態が解除される（ステップＳ１８−８）。
【００３７】
かくすると、温水タンク２６に貯められた温水は、循環ポンプ６０の作用によって第１温水供給流路４６、第２温水供給流路５２及び分岐流路６６を通して流れ、噴射ノズル６８から装置ハウジング１８内に向けて噴射される。これにより、装置ハウジング１８内において発生した炎を自動的に迅速且つ確実に消火することができる。このように温水が噴射されることにより、温水タンク２６内の温水の水位が下限水位まで低下すると、下限水位検知センサ３２は温水の水位を検知し、ステップＳ１８−９からステップＳ１８−１０に進む。開閉制御手段８２は給水用開閉弁４０を開状態に保持し、上述したように温水タンク２６への給水が行われる。温水タンク２６内の温水の水位が上限水位まで上昇すると、上限水位検知センサ３０は温水の水位を検知し、ステップＳ１８−１１からステップＳ１８−１２に進む。開閉制御手段８２は給水用開閉弁４０を閉状態に保持し、上述したように温水タンク２６への給水が停止される。
【００３８】
噴射ノズル６８からの温水の噴射によって、装置ハウジング１８内において発生した炎が消火すると、浴室内の温度が低下する（又は温風生成用熱交換器６に流入される温水の温度が低下する）。温度比較手段８４は、第１温度検知センサ１２（又は第２温度検知センサ１４）による検知温度とメモリ８６に記憶された上記下設定温度とを比較し、第１温度検知センサ１２（又は第２温度検知センサ１４）による検知温度が上記下設定温度より低下すると、ステップＳ１８−１３からステップＳ１８−１５に進み（又はステップＳ１８−１３からステップＳ１８−１４を経てステップＳ１８−１５に進み）、装置ハウジング１８内において発生した炎が消火したと判定し、消火信号を生成する。この消火信号に基づいて、作動制御手段７８は循環ポンプの作動を停止し（ステップＳ１９）、開閉制御手段８２は第１開閉弁６２を開状態に保持するとともに第２開閉弁７０を閉状態に保持する（ステップＳ２０）。これにより噴射ノズル６８からの温水の噴射が停止され、暖房運転が停止される（ステップＳ１１）。
【００３９】
従って、本実施形態の暖房乾燥装置２では、例えばもらい火などにより暖房乾燥装置本体４において着火した場合には、噴射ノズル６８から噴射される温水によって自動的に消火することができ、迅速且つ確実な消火を行うことができる。
【００４０】
なお、本実施形態では暖房運転モードを選択した場合について説明したが、乾燥運転モード又は換気運転モードを選択した場合においても、上述したのとほぼ同様の運転制御が行われる。
【００４１】
以上、本発明に従う暖房乾燥装置の一実施形態について説明したが、本発明はかかる実施形態に限定されるものではなく、本発明の範囲を逸脱することなく種々の変形乃至修正が可能である。
【００４２】
例えば、上記実施形態では、装置ハウジング１８において着火した場合において、第１温度検知センサ１２（又は第２温度検知センサ１４）による検知温度が下設定温度より低下すると、噴射ノズル６８からの温水の噴射が自動的に停止されるように構成したが、リモコン８８の停止スイッチ９２を押圧操作することにより、噴射ノズル６８からの温水の噴射を停止するように構成してもよい。
【００４３】
また例えば、上記実施形態では、温水タンク２６内の温水の水位が下限水位まで低下すると、給水手段２８により自動的に給水を行うように構成したが、例えば次のように構成してもよい。即ち、リモコン８８の操作パネルに水位低下ランプ（図示せず）を設け、温水タンク２６内の温水の水位が下限水位まで低下すると、この水位低下ランプが点灯するように構成する。これにより使用者は温水の水位が下限水位まで低下したことを知ることができ、使用者が給水用開閉弁４０を手動により閉状態から開状態に切り換えることにより、温水タンク２６への給水を行えばよい。
【００４４】
また例えば、第１及び第２温度検知センサ１２，１４のうち一方を省略してもよく、あるいは、暖房乾燥装置本体４の温度を検知するための専用の温度検知センサを用いるようにしてもよい。
【００４５】
また例えば、上記実施形態では、暖房乾燥装置２を作動制御するための制御手段７２を設けたが、この制御手段７２をメイン制御手段及びサブ制御手段から構成し、通常時はメイン制御手段により暖房乾燥装置２を作動制御し、例えば装置ハウジング１８内における着火などによりメイン制御手段が損傷された場合には、メイン制御手段による作動制御からサブ制御手段による作動制御に切り替え、このサブ制御手段により暖房乾燥装置２を作動制御するように構成してもよい。
【００４６】
また例えば、上記実施形態では、漏水検知手段７６は、タイマ７４により計時された水位低下時間が上記設定時間より短いときには、温水の漏れが発生したと検知するように構成したが、これに限られず、下限水位検知センサ３２により温水の水位が検知されてから所定時間（例えば、約１時間）内に、温水タンク２６への給水が所定回数（例えば、３回）行われると、温水の漏れが発生したと検知するように構成してもよい。
【図面の簡単な説明】
【００４７】
【図１】本発明の一実施形態による暖房乾燥装置を簡略的に示すブロック図である。
【図２】図１の暖房乾燥装置の制御系を示すブロック図である。
【図３】図１の暖房乾燥装置による運転制御の流れを示すフローチャートである。
【図４】図３のフローチャートにおける漏水の検知の内容を具体的に示すフローチャートである。
【図５】図３のフローチャートにおける装置ハウジング内の消火の内容を具体的に示すフローチャートである。
【符号の説明】
【００４８】
２  暖房乾燥装置
４  暖房乾燥装置本体
６  温風生成用熱交換器
８  熱源機
１０  温水循環流路
１２  第１温度検知センサ
１４  第２温度検知センサ
１６  温水噴射手段
２６  温水タンク
２８  給水手段
３２  下限水位検知センサ
６０  循環ポンプ
６６  分岐流路
６８  噴射ノズル
７０  第２開閉弁
７６  漏水検知手段
【図１】
2008232479.tif 000003
【図２】
2008232479.tif 000004
【図３】
2008232479.tif 000005
【図４】
2008232479.tif 000006
【図５】
2008232479.tif 000007